(57)【特許請求の範囲】
【請求項１】
被測定信号が入力される入力端子（１ｂ）と、
前記入力端子から入力される被測定信号の信号レベルを適正レベルに減衰する減衰器（４）と、
所定の周波数範囲内で掃引される局部信号を発生する局部発振器（２）と、
前記局部発振器からの局部信号を分配する分配器（７）と、
前記分配器により分配入力される前記局部信号の周波数をてい倍する周波数てい倍器（８）と、
前記周波数てい倍器で周波数てい倍された信号を出力する外部出力端子（１ｃ）と、
前記減衰器からの信号を特定の周波数範囲内に帯域制限する選択性バンドパスフィルタ（６）と、
前記分配器により分配入力される前記局部信号と前記選択性バンドパスフィルタにより帯域制限された信号とを混合して周波数変換する第１ダウンコンバータ（９）とを装置本体（１ａ）に備え、
前記被測定信号と前記外部出力端子から出力される信号とを混合し、前記選択性バンドパスフィルタで対応可能な周波数にダウンコンバードする第２ダウンコンバータ（１１）が前記入力端子及び前記外部出力端子に接続可能とされており、
前記第１ダウンコンバータの入力周波数をＲＦ１、局部周波数をＬＯ１、ダウンコンバート周波数をＩＦ１とし、前記第２ダウンコンバータの入力周波数をＲＦ２、局部周波数をＬＯ２、ダウンコンバート周波数をＩＦ２としたときに、ＩＦ１＝｜ＲＦ１±ＬＯ１｜、ＩＦ２＝｜ＲＦ２±ＬＯ２｜、ＲＦ１＝ＩＦ２、ＬＯ２＝ｎ×ＬＯ１（ｎは整数）の関係式を満足するように中間周波数である前記ＩＦ１，ＩＦ２を決定して前記局部信号を掃引することを特徴とする信号解析装置。
【請求項２】
被測定信号が入力される入力端子（１ｂ）と、
前記入力端子から入力される被測定信号の信号レベルを適正レベルに減衰する減衰器（４）と、
所定の周波数範囲内で掃引される局部信号を発生する局部発振器（２）と、
前記局部発振器からの局部信号を分配する分配器（７）と、
前記分配器により分配入力される前記局部信号の周波数をてい倍する周波数てい倍器（８）と、
前記周波数てい倍器で周波数てい倍された信号を出力する外部出力端子（１ｃ）と、
前記減衰器からの信号を特定の周波数範囲内に帯域制限する選択性バンドパスフィルタ（６）と、
前記分配器により分配入力される前記局部信号と前記選択性バンドパスフィルタにより帯域制限された信号とを混合して周波数変換する第１ダウンコンバータ（９）とを装置本体（１ａ）に備え、
前記被測定信号と前記外部出力端子から出力される信号とを混合し、前記選択性バンドパスフィルタで対応可能な周波数にダウンコンバードする第２ダウンコンバータ（１１）が前記入力端子及び前記外部出力端子に接続可能とされた信号解析装置を用いた周波数拡張方法であって、
前記第１ダウンコンバータの入力周波数をＲＦ１、局部周波数をＬＯ１、ダウンコンバート周波数をＩＦ１とし、前記第２ダウンコンバータの入力周波数をＲＦ２、局部周波数をＬＯ２、ダウンコンバート周波数をＩＦ２としたときに、ＩＦ１＝｜ＲＦ１±ＬＯ１｜、ＩＦ２＝｜ＲＦ２±ＬＯ２｜、ＲＦ１＝ＩＦ２、ＬＯ２＝ｎ×ＬＯ１（ｎは整数）の関係式を満足するように中間周波数である前記ＩＦ１，ＩＦ２を決定して前記局部信号を掃引することを特徴とする信号解析装置を用いた周波数拡張方法。
【発明の詳細な説明】
【技術分野】
【０００１】
本発明は、被測定信号の出力波形を解析するにあたって、簡易な構成で解析周波数範囲を拡張することができる信号解析装置及び該装置を用いた周波数拡張方法に関する。
【背景技術】
【０００２】
被測定信号の出力波形を解析する信号解析装置としては、例えば下記特許文献１などに開示されるように、横軸を周波数、縦軸を電力又は電圧とした二次元のグラフを表示画面上に表示する電気計測器からなるスペクトラムアナライザが従来より知られている。
【０００３】
ところで、近年は、例えばミリ波レーダー、ワイヤレスＨＤＭＩ、テレビ中継などにおいて６０ＧＨｚ帯の通信が多く使われて来ており、これらの通信帯域を含む被測定信号の出力波形の解析が行える信号解析装置の提供が望まれている。
【０００４】
ところが、従来の信号解析装置に使用される帯域制限用の選択性バンドパスフィルタでは、連続した１つの周波数バンドで対応可能な周波数範囲（例えば４ＧＨｚ〜５０ＧＨｚ）に制限があった。このため、連続した１つの周波数バンドで５０ＧＨｚ以上の周波数解析範囲による被測定信号の出力波形の解析を行うことができなかった。そこで、一般的には、複数の周波数バンドに分け、各周波数バンド毎に局部発振器を用意し、信号を個別にダウンコンバータで中間周波数（ＩＦ）に周波数変換（ダウンコンバート）した後、これらを合成して周波数範囲を拡張し、所望の解析周波数範囲を得ていた。
【先行技術文献】
【特許文献】
【０００５】
【特許文献１】特開２００９−１１５６１０号公報
【発明の概要】
【発明が解決しようとする課題】
【０００６】
このように、従来の信号解析装置において、周波数範囲を拡張して所望の解析周波数範囲を得るためには、周波数バンドを複数に分け、各周波数バンド毎にダウンコンバータ用に新たに局部発振器を用意する必要があり、コストが嵩むとともに、消費電力が増すという課題があった。
【０００７】
そこで、本発明は上記問題点に鑑みてなされたものであって、簡易な構成で解析周波数範囲を拡張することができる信号解析装置及び該装置を用いた周波数拡張方法を提供することを目的としている。
【課題を解決するための手段】
【０００８】
上記目的を達成するため、本発明の請求項１に記載された信号解析装置は、被測定信号が入力される入力端子１ｂと、
前記入力端子から入力される被測定信号の信号レベルを適正レベルに減衰する減衰器４と、
所定の周波数範囲内で掃引される局部信号を発生する局部発振器２と、
前記局部発振器からの局部信号を分配する分配器７と、
前記分配器により分配入力される前記局部信号の周波数をてい倍する周波数てい倍器８と、
前記周波数てい倍器で周波数てい倍された信号を出力する外部出力端子１ｃと、
前記減衰器からの信号を特定の周波数範囲内に帯域制限する選択性バンドパスフィルタ６と、
前記分配器により分配入力される前記局部信号と前記選択性バンドパスフィルタにより帯域制限された信号とを混合して周波数変換する第１ダウンコンバータ９とを装置本体１ａに備え、
前記被測定信号と前記外部出力端子から出力される信号とを混合し、前記選択性バンドパスフィルタで対応可能な周波数にダウンコンバードする第２ダウンコンバータ１１が前記入力端子及び前記外部出力端子に接続可能とされており、
前記第１ダウンコンバータの入力周波数をＲＦ１、局部周波数をＬＯ１、ダウンコンバート周波数をＩＦ１とし、前記第２ダウンコンバータの入力周波数をＲＦ２、局部周波数をＬＯ２、ダウンコンバート周波数をＩＦ２としたときに、ＩＦ１＝｜ＲＦ１±ＬＯ１｜、ＩＦ２＝｜ＲＦ２±ＬＯ２｜、ＲＦ１＝ＩＦ２、ＬＯ２＝ｎ×ＬＯ１（ｎは整数）の関係式を満足するように中間周波数である前記ＩＦ１，ＩＦ２を決定して前記局部信号を掃引することを特徴とする。
【００１２】
請求項５に記載された信号解析装置を用いた周波数拡張方法は、被測定信号が入力される入力端子１ｂと、
前記入力端子から入力される被測定信号の信号レベルを適正レベルに減衰する減衰器４と、
所定の周波数範囲内で掃引される局部信号を発生する局部発振器２と、
前記局部発振器からの局部信号を分配する分配器７と、
前記分配器により分配入力される前記局部信号の周波数をてい倍する周波数てい倍器８と、
前記周波数てい倍器で周波数てい倍された信号を出力する外部出力端子１ｃと、
前記減衰器からの信号を特定の周波数範囲内に帯域制限する選択性バンドパスフィルタ６と、
前記分配器により分配入力される前記局部信号と前記選択性バンドパスフィルタにより帯域制限された信号とを混合して周波数変換する第１ダウンコンバータ９とを装置本体１ａに備え、
前記被測定信号と前記外部出力端子から出力される信号とを混合し、前記選択性バンドパスフィルタで対応可能な周波数にダウンコンバードする第２ダウンコンバータ１１が前記入力端子及び前記外部出力端子に接続可能とされた信号解析装置を用いた周波数拡張方法であって、
前記第１ダウンコンバータの入力周波数をＲＦ１、局部周波数をＬＯ１、ダウンコンバート周波数をＩＦ１とし、前記第２ダウンコンバータの入力周波数をＲＦ２、局部周波数をＬＯ２、ダウンコンバート周波数をＩＦ２としたときに、ＩＦ１＝｜ＲＦ１±ＬＯ１｜、ＩＦ２＝｜ＲＦ２±ＬＯ２｜、ＲＦ１＝ＩＦ２、ＬＯ２＝ｎ×ＬＯ１（ｎは整数）の関係式を満足するように中間周波数である前記ＩＦ１，ＩＦ２を決定して前記局部信号を掃引することを特徴とする。
【発明の効果】
【００１４】
本発明によれば、従来のように、周波数バンドを複数に分け、各周波数バンド毎に局部発振器とダウンコンバータを用意する必要がなく、低コスト、低消費電力による簡素な構成で解析周波数範囲を拡張し、既存の選択性バンドパスフィルタで対応して被測定信号の出力波形の解析を行うことができる。
【００１５】
また、イメージ除去フィルタを用いれば、減衰器から切替器を介して入力される信号の少なくとも対象周波数以外の周波数を除去して第２ダウンコンバータに入力でき、正規の信号以外の不要なイメージを除去することができる。
【図面の簡単な説明】
【００１６】
【図１】本発明に係る信号解析装置の第１実施の形態を示すブロック構成図である。
【図２】本発明に係る信号解析装置の第２実施の形態を示すブロック構成図である。
【発明を実施するための形態】
【００１７】
以下、本発明を実施するための形態について、添付した図面を参照しながら詳細に説明する。尚、この実施の形態によりこの発明が限定されるものではなく、この形態に基づいて当業者などによりなされる実施可能な他の形態、実施例及び運用技術などはすべて本発明の範疇に含まれる。
【００１８】
図１は本発明に係る信号解析装置の第１実施の形態を示すブロック構成図、図２は本発明に係る信号解析装置の第２実施の形態を示すブロック構成図である。
【００１９】
本発明に係る信号解析装置は、１つの局部発振器を用い、ダウンコンバータの内部ミキサの周波数関係を工夫することによって解析周波数範囲の拡張を図り、例えばミリ波レーダー、ワイヤレスＨＤＭＩ、ハイビジョンクラスのテレビ中継などの通信で使用可能な５０ＧＨｚ以上の高周波を含む被測定信号の出力波形の解析が行えるものである。以下、本発明に係る各実施の形態の構成について図面を参照しながら説明する。
【００２０】
なお、本発明における解析周波数範囲とは、被測定信号の出力波形の解析が可能な連続した１つの周波数バンドによる周波数範囲であり、選択性バンドパスフィルタ６が対応可能な周波数範囲（例えば４ＧＨｚ〜５０ＧＨｚ）と、この周波数範囲よりも高い周波数からなる周波数拡張範囲（例えば５０ＧＨｚ〜７０ＧＨｚ）とを包含するものである。
【００２１】
第１実施の形態による信号解析装置１（１Ａ）は、図１に示すように、被測定信号（ＲＦ）が入力される入力端子２ｂを装置本体１ａに備え、局部発振器２、掃引発生部３、減衰器４、切替器５、選択性バンドパスフィルタ６、分配器７、周波数てい倍器８、第１ダウンコンバータ９、イメージ除去フィルタ１０、第２ダウンコンバータ１１、検波部１２、波形処理部１３、表示部１４が装置本体１ａ内に設けられた構成である。
【００２２】
局部発振器２は、被測定信号の解析周波数範囲に応じた所定の周波数範囲（例えば５〜１０ＧＨｚ）内での周波数掃引により周波数が可変制御され、この周波数が可変された１つの局部信号を分配器６に入力している。
【００２３】
掃引発生部３は、被測定信号の解析周波数範囲に応じた所定の周波数範囲（例えば５〜１０ＧＨｚ）内で電圧制御により局部発振器２の周波数を可変して周波数掃引している。また、掃引発生部３は、局部発振器２の周波数掃引に同期して表示部１４に横軸信号を入力している。
【００２４】
減衰器４は、入力端子２ｂから入力される被測定信号（ＲＦ）の信号レベルを、被測定信号の解析周波数範囲に応じた適正レベルに減衰して切替器５に入力している。
【００２５】
切替器５は、減衰器４と選択性バンドパスフィルタ６との間を直接接続する経路Ｒ１と、減衰器４と選択性バンドパスフィルタ６との間をイメージ除去フィルタ１０、第２ダウンコンバータ１１を経由して接続する経路Ｒ２とを、入力端子１ｂから入力される被測定信号の周波数が選択性バンドパスフィルタ６で対応可能な周波数範囲内にあるか否かに応じて選択的に切り替えている。さらに説明すると、切替器５は、減衰器４に入力される被測定信号の周波数が選択性バンドパスフィルタ６で対応可能な周波数範囲内にあるとき、減衰器４と選択性バンドパスフィルタ６との間を直接接続する経路Ｒ１に切り替わる。これに対し、切替器５は、減衰器４に入力される被測定信号の周波数が選択性バンドパスフィルタ６で対応可能な周波数範囲内になく、周波数拡張が必要なとき、減衰器４と選択性バンドパスフィルタ６との間をイメージ除去フィルタ１０、第２ダウンコンバータ１１を経由して接続する経路Ｒ２に切り替わる。
【００２６】
選択性バンドパスフィルタ６は、減衰器４から切替器５を介して入力される信号、又は減衰器４から切替器５、イメージ除去フィルタ１０を経由して第２コンバータ１１から入力される信号の周波数に関して、予めフィルタ特性によって決まる特定の周波数範囲（例えば４ＧＨｚ〜５０ＧＨｚ）内に帯域制限して第１ダウンコンバータ９に通過させている。
【００２７】
分配器７は、局部発振器２からの１つの局部信号を周波数てい倍器８と第１ダウンコンバータ９にそれぞれ分配して入力している。
【００２８】
周波数てい倍器８は、分配器７から分配入力される局部信号の局部周波数ＬＯ１を整数倍ｎ（ｎ＝１，２，・・・）して増幅し、この整数倍ｎに増幅した周波数ＬＯ２の周波数てい倍信号を第２ダウンコンバータ１１に入力している。
【００２９】
第１ダウンコンバータ９は、分配器７から分配入力される局部周波数ＬＯ１の局部信号と、選択性バンドパスフィルタ６で帯域制限された入力周波数ＲＦ１の帯域制限信号とを内部ミキサで混合して周波数変換（ダウンコンバート）し、ダウンコンバート周波数ＩＦ１の中間周波数信号を出力している。
【００３０】
イメージ除去フィルタ１０は、例えばハイパスフィルタやバンドパスフィルタで構成され、減衰器４から切替器５を介して入力される信号の少なくとも対象周波数以外の周波数を除去して第２ダウンコンバータ１１に入力している。これにより、正規の信号以外の不要なイメージを除去することができる。
【００３１】
なお、イメージ除去フィルタ１０は、切替器５と第２ダウンコンバータ１１との間の十分なアイソレーションが取れていれば、省略する構成としても良い。
【００３２】
第２ダウンコンバータ１１は、周波数てい倍器８からの局部周波数ＬＯ２の周波数てい倍信号と、減衰器４から切替器５を介してイメージ除去フィルタ１０から入力される入力周波数ＲＦ２の信号とを内部ミキサで混合して周波数変換（ダウンコンバート）し、選択性バンドパスフィルタ６で対応可能なダウンコンバート周波数ＩＦ２の中間周波数信号を出力している。
【００３３】
本例では、上述した第１ダウンコーバータ９の内部ミキサと第２ダウンコンバータ１１の内部ミキサの動作により、以下に示す４つの関係式（１）〜（４）が導かれる。
ＩＦ１＝｜ＲＦ１±ＬＯ１｜…（１）
ＩＦ２＝｜ＲＦ２±ＬＯ２｜…（２）
ＲＦ１＝ＩＦ２…（３）
ＬＯ２＝ｎ×ＬＯ１（但し、ｎは整数）…（４）
【００３４】
そして、上記４つ関係式（１）〜（４）を満足するべく、中間周波数であるＩＦ１，ＩＦ２を決定し、決定した中間周波数に応じて局部発振器２が出力する局部信号の周波数ＬＯ１を掃引発生部３で掃引することにより、従来の選択性バンドパスフィルタ６で対応可能な周波数範囲から拡張周波数範囲まで掃引することが可能になる。
【００３５】
検波部１２は、第１ダウンコンバータ９の内部ミキサで周波数変換された中間周波数信号を復調するべく、Ａ／Ｄコンバータを検波器として備えており、第１ダウンコンバータ９からの信号を所定ビットのディジタル信号として波形処理部１３に出力している。
【００３６】
波形処理部１３は、検波部１２からのディジタル信号を信号処理する信号処理部を有し、この信号処理によって得られる被測定信号に含まれる各周波数成分の大きさ（強度）を信号処理結果として表示部１４に出力している。
【００３７】
表示部１４は、液晶などの表示器からなり、局部発振器２の周波数掃引に同期して横軸信号が入力され、横軸を周波数目盛りとして、波形処理部１３の信号処理で得られる被測定信号に含まれる各周波数成分の大きさ（強度）を被測定信号のスペクトラム波形として表示している。
【００３８】
次に、上記のように構成される第１実施形態の信号解析装置１Ａの動作（周波数拡張方法）について説明する。
【００３９】
第１実施の形態の信号解析装置１Ａでは、従来ダウンコンバータ毎に局部発振器を用意する必要があったのに対し、２個の局部発振器を用いることなく、局部発振器２の１つの局部信号を分配器７で２つに分配し、同時に２つのダウンコンバータ（第１ダウンコンバータ９、第２ダウンコンバータ１１）の内部ミキサを前述した関係式（１）〜（４）を満足する周波数関係で動作させている。
【００４０】
まず、入力端子１ｂから入力される被測定信号の解析対象となる周波数が選択性バンドパスフィルタ６で対応可能な場合（例えば４〜５０ＧＨｚ）は、切替器５が減衰器４と選択性バンドパスフィルタ６との間を直接接続する経路Ｒ１に切り替わる。そして、被測定信号が入力端子１ａから入力されると、この被測定信号は減衰器４で適正レベルに減衰された後、選択性バンドパスフィルタ６で帯域制限される。そして、周波数ＲＦ１の信号が第１ダウンコンバータ９に入力される。また、局部発振器２からの周波数ＬＯ１の局部信号は、分配器７で分配されて第１ダウンコンバータ９に入力される。第１ダウンコンバータ９は、周波数ＲＦ１の信号と、局部発振器２から分配器７を介して入力される周波数ＬＯ１の局部信号とを内部ミキサで混合して周波数変換し、周波数ＩＦ１の中間周波数信号を出力する。検波部１２は、第１ダウンコンバータ９からの周波数ＩＦ１の中間周波数信号を所定ビットのディジタル信号に変換して波形処理部１３に出力する。波形処理部１３は、検波部１２からのディジタル信号を各周波数成分の大きさ（強度）として表示部１４に出力する。表示部１４は、局部発振器２の周波数掃引に同期して横軸信号が入力され、横軸を周波数目盛りとして、波形処理部１３の信号処理で得られる被測定信号に含まれる各周波数成分の大きさ（強度）を被測定信号のスペクトラム波形として表示する。
【００４１】
これに対し、入力端子１ｂから入力される被測定信号の解析対象となる周波数が選択性バンドパスフィルタ６で対応不可能であって、周波数拡張が必要な場合（例えば５０〜７０ＧＨｚ）は、切替器５が減衰器４と選択性バンドパスフィルタ６との間をイメージ除去フィルタ１０、第２ダウンコンバータ１１を経由して接続する経路Ｒ２に切り替わる。そして、被測定信号が入力端子１ａから入力されると、この被測定信号は減衰器４で適正レベルに減衰された後、周波数ＲＦ２の信号としてイメージ除去フィルタ１０を介して第２ダウンコンバータ１１に入力される。また、局部発振器２からの周波数ＬＯ１の局部信号は、分配器７により分配されて周波数てい倍器８に入力される。周波数てい倍器８は、分配器７からの局部信号の周波数ＬＯ１を周波数てい倍し、周波数ＬＯ２の局部信号を第２ダウンコンバータ１１に入力する。第２ダウンコンバータ１１は、周波数ＲＦ２の信号と、周波数てい倍器８からの周波数ＬＯ２の信号とを内部ミキサで混合して周波数変換し、選択性バンドパスフィルタ６で対応可能な周波数ＩＦ２の中間周波数信号を出力する。この周波数ＩＦ２の中間周波数信号は、選択性バンドパスフィルタ６で帯域制限され、周波数ＲＦ１の信号が第１ダウンコンバータ９に入力される。第１ダウンコンバータ９は、周波数ＲＦ１の信号と、局部発振器２から分配器７を介して入力される周波数ＬＯ１の局部信号とを内部ミキサで混合して周波数変換し、周波数ＩＦ１の中間周波数信号を出力する。検波部１２は、第１ダウンコンバータ９からの周波数ＩＦ１の中間周波数信号を所定ビットのディジタル信号に変換して波形処理部１３に出力する。波形処理部１３は、検波部１２からのディジタル信号を各周波数成分の大きさ（強度）として表示部１４に出力する。表示部１４は、局部発振器２の周波数掃引に同期して横軸信号が入力され、横軸を周波数目盛りとして、波形処理部１３の信号処理で得られる被測定信号に含まれる各周波数成分の大きさ（強度）を被測定信号のスペクトラム波形として表示する。例えばＩＦ１を１ＧＨｚとし、１ＧＨｚの信号が入ると表示部１４に波形が表示される信号解析装置の場合、ＲＦ２が６４ＧＨｚの信号が入力された時、局部発振器２のＬＯ１が９ＧＨｚで周波数てい倍器８で６倍されＬＯ２が５４ＧＨｚとなり、第２ダウンコンバータ１１によりＩＦ２が１０ＧＨｚとなる。ＲＦ１がつまり１０ＧＨｚとなり、第１ダウンコンバータ９にＲＦ１の１０ＧＨｚとＬＯ１の９ＧＨｚでＩＦ１が１ＧＨｚとなり、６４ＧＨｚの信号が入力された時、表示部１４に波形が表示される。
【００４２】
次に、第２実施の形態の信号解析装置１（１Ｂ）の構成について図２を参照しながら説明する。なお、第２実施の形態の信号解析装置１Ｂにおいて、第１実施の形態の信号解析装置１Ａと同一又は同等の構成要素には同一番号を付し、その説明を省略する。
【００４３】
第２実施の形態の信号解析装置１Ｂは、第１実施の形態の信号解析装置１Ａの切替器５及びイメージ除去フィルタ１０が省かれた構成であって、入力端子１ｂと外部出力端子１ｃを装置本体１ａに備え、局部発振器２、掃引発生部３、減衰器４、選択性バンドパスフィルタ６、分配器７、周波数てい倍器８、第１ダウンコンバータ９、Ａ／Ｄ変換部１２、波形処理部１３、表示部１４が装置本体１ａ内に設けられている。
【００４４】
第２ダウンコンバータ１１は、信号発生装置１Ｂの装置本体１ａとは別体に構成され、入力端子１ｂと外部入力端子１ｃに電気的に接続可能とされている。この第２ダウンコンバータ１１は、周波数拡張が必要なときに、入力端子１ｂを介して減衰器４に接続されるとともに、外部出力端子１ｃを介して周波数てい倍器８に接続される。
【００４５】
なお、第２実施の形態の信号解析装置１Ｂにおいても、上述した４つ関係式（１）〜（４）を満足するべく、ＩＦ周波数を決定し、決定したＩＦ周波数に応じて局部発振器２が出力する局部信号の周波数ＬＯ１が掃引発生部３により掃引制御される。
【００４６】
この第２実施の形態の信号解析装置１Ｂによれば、装置本体１ａ内の第１ダウンコンバータ９で解析できない範囲の入力周波数を装置本体１ａに接続可能な第２ダウンコンバータ１１によってカバーすることができる。すなわち、第２ダウンコンバータ１１の内部ミキサで周波数変換（ダウンコンバート）した信号ＲＦ２を信号解析装置１Ｂの入力端子１ｂから入力すれば、拡張周波数が解析可能である。これにより、従来回路をそのまま活用でき、用意に周波数拡張が可能となる。さらに、外部の第２ダウンコンバータ１１での解析周波数範囲においても選択性バンドパスフィルタ６を通過させることが可能なので、後段の第１ダウンコンバータ９の内部ミキサによるイメージレスポンスも抑えることが可能となる。
【００４７】
このように、本発明では、解析周波数範囲を拡張するためのダウンコンバータ用に新たに局部発振器を用意する必要がなく、１つの局部発振器２を用い、同時に２つのダウンコンバータ９，１１の内部ミキサを関係式（１）〜（４）を満足する周波数関係で動作させている。これにより、低コスト、低消費電力による簡素な構成で解析周波数範囲を拡張し、既存の選択性バンドパスフィルタで対応して被測定信号の出力波形の解析を行うことができる。また、第２ダウンコンバータ１１のＩＦ２の信号の周波数を高くすることができるため、イメージスプリアスを抑えることができる。
【符号の説明】
【００４８】
１（１Ａ，１Ｂ）  信号解析装置
１ａ  装置本体
１ｂ  入力端子
１ｃ  外部出力端子
２  局部発振器
３  掃引発生部
４  減衰器
５  切替器
６  選択性バンドパスフィルタ
７  分配器
８  周波数てい倍器
９  第１ダウンコンバータ
１０  イメージ除去フィルタ
１１  第２ダウンコンバータ
１２  Ａ／Ｄ変換部
１３  波形処理部
１４  表示部
【図１】
0005784525.tif 000002
【図２】
0005784525.tif 000003